(57)【要約】電話機能付き情報機器であり、着信から切断までのアクセス時間を計測する時間計測部と、着信毎にアクセス時間を含む着信履歴を記憶する着信履歴記憶処理部と、着信履歴表示操作を受けた際に、アクセス時間が所定時間以下の場合、アクセス時間に注意を喚起する表示を付して着信履歴を表示する着信履歴表示処理部とを備える。
2003084189.tif 000002
【特許請求の範囲】
【請求項１】
電話機能付き情報機器に於いて、
着信から切断までの時間を計測する時間計測部と、
着信毎に前記時間を含む着信履歴を記憶する着信履歴記憶処理部と、
前記時間が所定時間以下の場合、前記時間に注意を喚起する表示を付して着信履歴を表示する着信履歴表示処理部と、
を備えたことを特徴とする電話機能付き情報機器。
【請求項２】
請求の範囲１の電話機能付き情報機器に於いて、前記時間計測部は、着信時刻と切断時刻を取得した後に、両時刻の差として着信から切断までのアクセス時間を算出することを特徴とする電話機能付き情報機器。
【請求項３】
請求の範囲１の電話機能付き情報機器に於いて、前記着信履歴記憶部は、着信履歴として前記時間以外に、着信日時、発信者電話番号、発信者名を記憶することを特徴とする電話機能付き情報機器。
【請求項４】
請求の範囲１の電話機能付き情報機器に於いて、更に、前記着信履歴として表示された前記時間から判断した迷惑電話を所定の操作により交換機側に登録する迷惑電話登録部を設けたことを特徴とする電話機能付き情報機器。。
【請求項５】
請求の範囲１の電話機能付き情報機器に於いて、更に、前記時間が所定時間以下の場合、前記着信履歴記憶部による着信履歴の記憶を禁止して着信履歴を残さないようにする着信履歴禁止部を設けたことを特徴とする電話機能付き情報機器。
【請求項６】
請求の範囲１の電話機能付き情報機器に於いて、更に、迷惑電話防止モードの設定状態で、計測中の前記時間が所定時間に達するまでは着信呼出しを禁止し、所定時間経過後に着信呼出し動作を許容する着信呼出制御部を設けたことを特徴とする電話機能付き情報機器。
【請求項７】
電話機能付き情報機器の着信履歴処理方法に於いて、
着信から切断までの時間を計測する時間計測ステップと、
着信毎に前記時間を含む着信履歴を記憶する着信履歴記憶ステップと、
前記時間が所定時間以下の場合、前記時間に注意を喚起する表示を付して着信履歴を表示する着信履歴表示ステップと、
を備えたことを特徴とする着信履歴処理方法。
【請求項８】
電話機能付き情報機器のコンピュータに、
着信から切断までの時間を計測する時間計測ステップと、
着信毎に前記時間を含む着信履歴を記憶する着信履歴記憶ステップと、
着信履歴表示操作を受けた際に、前記時間が所定時間以下の場合、前記時間に注意を喚起する表示を付して着信履歴を表示する着信履歴表示ステップと、
を実行させることを特徴とするプログラム。
【発明の詳細な説明】
技術分野
本発明は、固定電話機、携帯電話機、パーソナルコンピュータ、ＰＤＡ等の着信履歴を記憶して表示する電話機能付き情報機器、着信履歴処理方法及びプログラムに関し、特に、着信履歴を利用した悪質電話に対し注意を喚起する電話機能付き情報機器、着信履歴処理方法及びプログラムに関する。
背景技術
従来、携帯電話機の発信者識別サービスや固定電話機のナンバー（ＩＤ）サービスは、発信者の電話番号を通知するサービスである。このサービスによれば、着信側が留守であったり、電話に出られない時、着信履歴が残っていることにより、着信者からコールバックが可能であり、発信者に対して礼儀にもなる。この着信履歴機能によれば、着信日時刻、相手電話番号、発信者名（発信者電話番号が電話帳に登録されている場合）等の情報が表示される。また、着信履歴において「不在着信」と「応答着信」を色で表示する機能（特開２００１−１１１６７５）や、不在着信のみを履歴として残す機能（特開２００１−７７９０７）等も提案されている。また、従来より特定電話番号を着信拒否するサービスが提供されており、電話会社の窓口に登録を申請してサービスを受けることができ、着信拒否は拒否したい電話番号からの受信直後に、予め決められた特定番号を入力する。
ところが、近年、携帯電話機や固定電話機、更にはパーソナルコンピュータやＰＤＡ等の電話機能付きの情報機器がもっている着信履歴の表示機能を利用した悪質な迷惑電話が増加している。具体的には、「ワンコール」或いは「ワン切り」と呼ばれる着信した直後に切断するとういう手法を使い、交換機で通話費用の課金を受けることなく着信履歴を残し、着信者からのコールバックにより悪質サイトへ接続させて多額の利用料金をとるという公序良俗に反する行為が横行している。このような着信履歴を悪用した手法は、プログラムの実行により発信した直後に切断する処理を電話番号を連続的に変えながら自動的に行っており、この悪質事業者の不正利用によってネットワーク設備の正常通話にも影響が出ている。
本発明は、着信履歴を利用した悪質電話を特定して注意を喚起する電話機能付き情報機器、着信履歴処理方法及びプログラムを提供することを目的とする。
発明の開示
本発明は、電話機能付き情報機器であって、着信から切断までの時間（以下「アクセス時間」という）を計測する時間計測部と、着信毎にアクセス時間を含む着信履歴を記憶する着信履歴記憶処理部と、着信履歴表示操作を受けた際に、アクセス時間が所定時間以下の場合、アクセス時間に注意を喚起する表示を付して着信履歴を表示する着信履歴表示処理部とを備えたことを特徴とする。
このため、「ワンコール」或いは「ワン切り」と呼ばれる着信した直後に切断して着信履歴を残す悪質電話があっても、着信履歴を表示させたときに、例えば５秒以下といった短いアクセス時間については、悪質電話による着信履歴の可能性を指摘する例えばビックリマークが付されており、悪質電話と気付かずに勘違いなどによりコールバックしてしまうようなことを未然に防止できる。
ここで時間計測部は、着信時刻と切断時刻を取得した後に、両時刻の差として着信から切断までのアクセス時間を算出する。また着信履歴記憶処理部は、着信履歴としてアクセス時間以外に、着信日時、発信者電話番号、名簿登録のある発信者名を記憶する。
本発明の電話機能付き情報機器では、更に、着信履歴として表示されたアクセス時間から判断した迷惑電話を所定の操作により交換機側に登録する迷惑電話登録部を設けたことを特徴とする。これにより電話会社側に着信履歴を利用した悪質電話の情報を提供し、電話会社側での対応を可能とする。
本発明の電話機能付き情報機器ては、更に、アクセス時間が所定時間以下の場合、着信履歴記憶処理部による着信履歴の記憶を禁止して着信履歴を残さないようにする着信履歴禁止部を設けたことを特徴とする。このようにアクセス時間の短い「ワンコール」或いは「ワン切り」といった悪質電話に対し着信履歴が残らなくなり、着信履歴の悪用そのものができなくなる。
本発明の電話機能付き情報機器は、更に、迷惑電話防止モード等の特定モードの設定状態で、着信からの経過時間が所定時間に達するまでは着信呼出しを禁止し、所定時間経過後に着信呼出し動作を許容する着信呼出制御部を設けたことを特徴とする。このため「ワンコール」或いは「ワン切り」といった悪質電話の短時間の呼出音により睡眠などを妨げられたりする迷惑を蒙ることを防止できる。
本発明は、電話機能付き情報機器の着信履歴処理方法を提供する。この着信履歴処理方法は、
着信から切断までのアクセス時間を計測する時間計測ステップと、
着信毎にアクセス時間を含む着信履歴を記憶する着信履歴記憶ステップと、
着信履歴表示操作を受けた際に、前記アクセス時間が所定時間以下の場合、アクセス時間に注意を喚起する表示を付して着信履歴を表示する着信履歴表示ステップと、
を備えたことを特徴とする。
本発明は、電話機能付き情報機器のコンピュータで実行されるプログラムを提供する。このプログラムは、電話機能付き情報機器のコンピュータに、
着信から切断までのアクセス時間を計測する時間計測ステップと、
着信毎にアクセス時間を含む着信履歴を記憶する着信履歴記憶ステップと、
着信履歴表示操作を受けた際に、アクセス時間が所定時間以下の場合、アクセス時間に注意を喚起する表示を付して着信履歴を表示する着信履歴表示ステップと、
を実行させることを特徴とする。尚、着信履歴処理方法及びプログラムの詳細は、電話機能付き情報機器の場合と基本的に同じになる。
発明を実施するための最良の形態
図１は、本発明の電話機能付き情報機器の実施形態を、ネットワーク側の交換機及び発信者電話機と共に示した機能構成のブロック図である。図１において、この実施形態にあっては、電話機能付き情報機器として携帯電話機１０を例にとっており、無線回線によりネットワーク３２を介して着信側交換機３４に接続され、更に発信側交換機３６からネットワーク３８を経由して発信者電話機４０と接続される。携帯電話機１０は制御部１２を備え、制御部１２に対してはスピーカ１４、マイク１６、表示部１８、キー操作部２０、メモリを備えた記憶装置２２、回線制御部２４を接続している。
この携帯電話機１０は、例えば図２の外観構成を備えている。携帯電話機１０の上部にはスピーカ１４が設けられ、続いてカラー表示ができる表示部１８が設けられる。表示部１８の下には選択ボタン５８やメニューボタン６０を備えたキー操作部２０が設けられる。更に最下部にはマイク１６が内蔵される。また携帯電話機１０の上部にはアンテナ１１も設けられている。
再び図１を参照するに、携帯電話機１０の制御部１２には着信履歴を利用したワン切りあるいはワンコールと呼ばれる悪質電話に対し、その着信履歴を表示した際に注意を喚起するため、アクセス時間計測部２６、着信履歴記憶処理部２８及び着信履歴表示処理部３０を設けている。アクセス時間計測部２６は、着信から切断までのアクセス時間を計測する。着信履歴記憶処理部２８は、着信ごとにアクセス時間計測部２６で計測された着信から切断までのアクセス時間を含む着信履歴を記憶装置２２に記憶して保存する。着信履歴表示処理部３０は、キー操作部２０から着信履歴表示操作を受けた際に、アクセス時間が所定時間例えば５秒以下と短い場合、アクセス時間に注意を喚起する表示を付して表示部１８に着信履歴を表示する。
ここで記憶装置２２には、図３の着信履歴フォーマット６０に従った着信履歴情報が記憶される。図３の着信履歴フォーマット６０は項目として、着信日、着信時刻、発信者電話番号、発信者名、アクセス時間及び終了状態を持っており、それぞれ規定の文字サイズ及び表示する文字種別を定義している。その履歴内容は備考欄に示すように、例えば着信日「２００２／１／３１」、着信時刻「２３：３０」、発信者電話番号「０９０９９９９９９９９」、発信者名「迷惑掛太郎」、アクセス時間「３秒」が格納される。また最後の終了状態は数字によって表わされ、「１」が応答、「２」が留守電、「３」が切断である。なお発信者名は携帯電話機１０の電話帳に予め登録されていた場合に可能であり、迷惑電話にあっては発信者が不明であることから、項目として表示されないかあるいは悪質電話の発信者を示す仮の名前、例えば「迷惑掛太郎」などを使用する。
図４は、図１の着信履歴表示処理部３０によって表示部１８に表示される悪質電話着信時の着信履歴表示画面６２の説明図である。この着信履歴表示画面６２にあっては、着信履歴番号６４に続いて着信年月日時刻６６が表示され、その後ろに悪質電話の可能性を示す注意喚起マーク６８例えばビックリマーク「！」を表示した後に、アクセス時間７０として「３秒切断」を表示する。更に、電話帳に登録があれば発信者名７２が表示され、その下に発信者電話番号７４が登録される。この着信履歴表示画面６２において、注意喚起マーク６８とアクセス時間７０以外は、従来の着信履歴表示と同じになっている。
再び図１を参照するに、ネットワーク３２を介して接続される着信側交換機３４には、回線制御部４２、制御部４４及び記憶装置４６が設けられる。本発明にあっては、悪質電話を着信した携帯電話機１０からの悪質電話登録処理に対応して、着信側交換機３４の制御部４４に迷惑電話防止制御部４８が設けられている。また発信側交換機３６は、回線制御部５０、制御部５２及び記憶装置５４を備えている。この発信側交換機３６にも、着信側交換機３４における迷惑電話防止制御部４８の機能に対応して、発信側としての迷惑電話防止制御部５６が設けられている。
図５は図１の携帯電話機１０における悪質電話の着信を含む着信応答処理のフローチャートである。図５において、ステップＳ１で着信側交換機３４の回線制御部４２より着信信号と発信者電話番号を受信すると、制御部１２による着信動作が起動し、ステップＳ２で現在時刻として着信時刻を取得する。続いてステップＳ３で、通常の着信シーケンスに従った通話接続処理を行う。この通話接続処理には、通常の着信応答による通話接続及び留守番電話登録による留守番電話接続処理、更には着信応答前に発信が切れる切断の３つの処理を含んでいる。続いてステップＳ４で着信側交換機３４の回線制御部４２より切断信号を受信すると、ステップＳ５で現在時刻としての切断時刻を取得する。続いてステップＳ６で着信応答前に切断が行われたか否かチェックする。悪質電話により着信から短時間で切断が行われると、着信応答前の切断が判別され、ステップＳ７に進み、取得している発信者電話番号による電話帳の検索により、もし登録があれば発信者名を取得する。続いてステップＳ８で着信から切断までのアクセス時間を、ステップＳ５で取得した切断時刻からステップＳ２で取得した着信時刻を差し引くことで算出する。そして最終的に、ステップＳ９で図３の着信履歴フォーマットに従って着信日時、発信者電話番号、発信者名、アクセス時間、終了状態をメモリに書き込む。一方、ステップＳ６で着信応答前に切断がなく、通話接続や留守番電話サービスに対する接続が行われた場合には、ステップＳ１０に進み、メモリに会話または留守番電話の着信履歴を書き込む。この会話または留守電に対する着信履歴については、従来のアクセス時間を含まない着信履歴のメモリ書込みでも良いし、着信応答前に切断が起きた場合のステップＳ７〜Ｓ９の場合と同様、着信から切断までのアクセス時間を含む図３の着信履歴フォーマットに従った着信履歴の書込みのいずれであっても良い。
図６は、図１の携帯電話機１０における着信履歴表示処理のフローチャートである。ステップＳ１でキー操作部２０より着信履歴表示の操作入力を受けると、ステップＳ２で、記憶装置２２に保存している着信履歴から選択操作された着信履歴の着信日時、発信者電話番号、発信者名、アクセス時間及び終了状態をワークメモリ上に読み込み、ステップＳ３でアクセス時間が例えば５秒以下か否かチェックする。アクセス時間が５秒以下であった場合にはワン切りあるいはワンコールによる悪質電話と判断し、ステップＳ４で図４の着信履歴表示画面６２に示したように注意喚起マーク６８を付加し、ステップＳ５で着信履歴の表示を行う。
図７は、図１の携帯電話機１０における着信側交換機３４に対する迷惑電話登録処理のフローチャートである。この迷惑電話登録処理は、ステップＳ１で登録しようとする迷惑電話の着信履歴を表示し、ステップＳ２で迷惑電話登録メニュー画面の選択操作を行い、この選択画面を使用してステップＳ３で登録情報の送信処理を行う。そしてステップＳ４で、着信側交換機３４からの登録確認応答があると処理を終了する。
図８は、図７の着信側交換機３４に対する迷惑電話登録処理における操作画面の遷移である。まず図８（Ａ）のように、迷惑電話の登録処理を行う悪質電話の着信履歴画面６２を選択して表示させる。続いてメニューボタン押し下げ７５を行うことで、図８（Ｂ）のメニュー画面７６に切り替える。このメニュー画面７６の中には迷惑電話登録メニュー７８があることから、これを選択して、選択ボタンによる迷惑電話選択８０を行う。この迷惑電話８０により、図８（Ｃ）の登録中画面８２に切り替わる。交換機の完了応答８４があると、図８（Ｄ）の迷惑電話登録完了画面８５に切り替わり、一連の迷惑電話登録処理を終了する。このように本発明の携帯電話機１０にあっては、迷惑電話の着信履歴を利用して簡単に、着信側交換機３４に対する迷惑電話の登録ができる。
図９は、図７，図８の携帯電話機１０からの迷惑電話登録処理に伴う着信側交換機３４に設けている迷惑電話防止制御部４８による登録処理のフローチャートである。この着信側交換機迷惑電話登録処理は、ステップＳ１で回線制御部４２より迷惑電話番号の登録信号を受信すると、ステップＳ２で予め保有している着信拒否ファイルの状態チェック、具体的には非登録と最大登録数のチェックを行う。続いてステップＳ３に進み、受信した迷惑電話番号を着信拒否ファイルに書き込む。最終的にステップＳ４で、迷惑電話即ち要注意顧客登録を発信側交換機３６に転送する。
図１０は、図９の着信側交換機３４からの入力電話番号転送処理を受けた発信側交換機３６における要注意顧客登録処理のフローチャートである。この要注意顧客登録処理は、ステップＳ１で受信した要注意顧客情報を要注意顧客情報ファイルに登録する。既にファイルに登録がある場合には、回数を加算する。
図１１は、図１０で生成された要注意顧客ファイルを利用した発信側交換機３６の迷惑電話防止制御部５６による発信交換処理のフローチャートである。図１１において、ステップＳ１で、発信側交換機３６は回線制御部５０より発行信号を受信すると、ステップＳ２に進み、予め保存している顧客ファイル（回線ファイル）を読み込む。続いてステップＳ３で回線制御部５０へ発行を指示し、ステップＳ４で回線制御部５０より応答信号を受信する。続いてステップＳ５で、ステップＳ２で読み込んだ顧客ファイルから要注意顧客か否かチェックする。要注意顧客であった場合には、ステップＳ６に進み、着信側からの応答信号を受信する前に発信側が切断したか否かチェックする。もし応答信号の受信前に発信側が切断していれば迷惑電話と判断し、ステップＳ７で迷惑電話カウンタを１つカウントアップする。なお迷惑電話カウンタは初期状態では「０」である。次にステップＳ８で、明細システムに要注意顧客の発信処理を登録する。続いてステップＳ９に進み、同じ要注意顧客において３０秒で発信側の切断回数が６回に達したか否かチェックする。６回未満の場合にはステップＳ１に進み、同じ処理を繰り返す。ステップＳ９で３０秒間に同じ要注意顧客からの発信側切断回数が６回に達すると即ち迷惑電話カウンタの値が６回に達すると、ステップＳ１０に進み、監視センターへ通知し、ワンコールあるいはワン切りと呼ばれる悪質電話の発信操作が行われていることを通知する。一方、ステップＳ５で回線ファイルから読み出した顧客が要注意顧客でなかった場合、あるいはステップＳ６で応答信号の受信後に発信側が切断した場合には、ステップＳ１１に進み、迷惑電話カウンタをリセットして処理を終了する。
このような図９，図１０，図１１に示した本発明の携帯電話機１０からの悪質電話の着信履歴に基づく登録に伴う着信側交換機３４及び発信側交換機３６における悪質電話に対する対応処理は、本発明による携帯電話機１０における悪質電話の着信履歴に対する注意喚起に直接対応する内容ではないが、本発明における携帯電話機１０の着信履歴による悪質電話の注意喚起に加えて、交換機側で対応することで、より適切にワン切りやワンコールの悪質電話を防止することが可能となる。
図１２は、着信履歴を利用した悪質電話に対し、着信履歴禁止と着信呼出しの禁止機能を備えた本発明の他の実施形態のブロック図である。図１２において、この実施形態の携帯電話機１０は、図１の実施形態における制御部１２の構成に、新たに着信履歴禁止部８６と着信呼出制御部８８を加えている。それ以外の構成機能は図１の実施形態と同じである。着信履歴禁止部８６は、アクセス時間計測部２６で計測されたアクセス時間が悪質電話と判断する所定時間例えば５秒以下の場合、着信履歴記憶処理部２８による着信履歴の記録を禁止し、着信履歴として残さないようにする。このため、着信直後に切断するワン切りやワンコールがあっても、着信履歴そのものが残らないため、着信履歴を利用しようとする悪質電話の手法そのものを利用できなくできる。
着信呼出制御部８８は、例えば迷惑電話防止モードといった特定のモードの設定状態で、着信時刻からの経過時間が悪質電話と判断する所定時間例えば５秒に達するまでは着信呼出しを禁止し、５秒後に着信呼出しの動作を許容する。これによって、着信直後に切断する着信を利用した悪質電話があっても、着信呼出しが禁止され、ワン切りあるいはワンコールと呼ばれる着信音による睡眠妨害などの迷惑を未然に防止することができる。
図１３は、図１２の実施形態における着信応答処理のフローチャートである。図１３において、ステップＳ１で着信側交換機の回線制御部より着信信号受信と発信者電話番号を取得すると、ステップＳ２で着信時刻を取得し、経過時間の計測を開始する。このとき迷惑電話防止モードが設定されていたとすると、着信音の出力は停止状態になっており、着信音あるいは着信メロディは出されない。ステップＳ３で着信から５秒を経過すると、ステップＳ４で着信呼出動作が有効となり、着信音あるいは着信メロディが出力される。続いて、ステップＳ５で着信側交換機の回線制御部より切断信号を受信すると、ステップＳ６で現在時刻として切断時刻を取得する。次に、ステップＳ７で着信応答前に切断があったか否かチェックし、着信応答前に切断があった場合には、ステップＳ８でアクセス時間を算出する。そしてステップＳ９でアクセス時間が悪質電話と判断する所定時間例えば５秒以下であった場合には、ステップＳ１０における着信履歴のメモリ書込みをスキップし、着信履歴は残さない。アクセス時間が５秒を超えていた場合には、ステップＳ１０で図３の着信履歴フォーマットに従った着信履歴のメモリ書込みを行う。もちろん、ステップＳ７で着信応答前に切断がなければ、ステップＳ１１でメモリに会話または留守電の着信履歴を書き込むようになる。
なお、図１２の実施形態にあっては、制御部１２に着信履歴禁止部８６と着信呼出制御部８８の両方の機能を設けているが、他の実施形態としていずれか一方の機能を設けるようにしてもよい。
また上記の実施形態は、電話機能付き情報機器として携帯電話機を例にとるものであったが、これ以外に固定電話機、パーソナルコンピュータ、ＰＤＡ、テレビなどの電話機能付きの情報機器につき、本発明をそのまま適用することができる。
また本発明は、その目的と利点を損なうことのない適宜の変形を含み、更に上記の実施形態に示した数値による限定は受けない。
産業上の利用の可能性
以上説明してきたように本発明によれば、着信した直後に切断して着信履歴を残すワンコールあるいはワン切りと呼ばれる悪質電話を受けても、着信履歴を表示させたときに悪質電話の着信履歴の可能性を指摘する注意喚起マークが履歴表示に付されることで、悪質電話であることを確実に認識でき、悪質電話の着信履歴に気付かずにコールバックして悪質サイトなどへの接続で多額の利用料金が取られてしまうような被害を未然に防止できる。
また、着信履歴を利用した悪質電話と判断した場合に着信履歴そのものを残さないようにすることで、着信履歴を利用した悪質電話の手法そのものを無効化させることができる。
更に、迷惑電話防止などの特定モードの設定状態で着信から悪質電話と判断する所定時間に達するまでは着信呼出しを禁止しておくことで、着信履歴を利用した悪質電話による短時間の着信音や着メロによる例えば睡眠妨害などを防止できる。
【図面の簡単な説明】
図１は本発明の実施形態をネットワークの交換機及び発信者電話機と共に示したブロック図；
図２は本発明が適用される携帯電話機の説明図；
図３は本発明で記憶される着信履歴フォーマットの説明図；
図４は本発明による着信履歴表示画面の説明図；
図５は図１の実施形態による着信応答処理のフローチャート；
図６は図１の実施形態による着信履歴表示処理のフローチャート；
図７は図１の実施形態による迷惑電話登録処理のフローチャート；
図８は図７の迷惑電話登録処理の操作に伴う画面遷移の説明図；
図９は図７の迷惑電話登録操作に対する着信側交換機の迷惑電話登録処理のフローチャート；
図１０は図９の着信側交換機の迷惑電話登録処理に伴う発信者側交換機の要注意顧客登録処理のフローチャート；
図１１は発信側交換機における要注意顧客に対する発信交換処理のフローチャート；
図１２は悪質電話に対し、着信履歴禁止と着信呼出の禁止機能を備えた本発明による他の実施形態のブロック図；
図１３は図１２の実施形態における着信応答処理のフローチャート；
【図１】
2003084189.tif 000003
【図２】
2003084189.tif 000004
【図３】
2003084189.tif 000005
【図４】
2003084189.tif 000006
【図５】
2003084189.tif 000007
【図６】
2003084189.tif 000008
【図７】
2003084189.tif 000009
【図８】
2003084189.tif 000010
【図９】
2003084189.tif 000011
【図１０】
2003084189.tif 000012
【図１１】
2003084189.tif 000013
【図１２】
2003084189.tif 000014
【図１３】
2003084189.tif 000015
【国際調査報告】
2003084189.tif 000016
2003084189.tif 000017
2003084189.tif 000018
2003084189.tif 000019